(57)【特許請求の範囲】
【請求項１】
室内空間に対向する面に吸込口及び吹出口が形成され、室外空間に対向する面に再生空気吸込口及び再生空気吹出口が形成された本体ケーシングと、
前記本体ケーシング内に回転自在に設けられ、回転にともなって、所定の部位が、順次、除湿処理部位、再生処理部位及び熱回収処理部位となる回転型除湿素子と、
前記本体ケーシング内に設けられ、再生用空気を加熱する加熱手段と、
１つのモーターの駆動軸に取り付けられ、当該モーターともに前記本体ケーシング内に収納された第１送風機及び第２送風機と、
前記本体ケーシング内に形成され、前記第１送風機の送風力により、室内空気を、前記吸込口から取り込んで、前記除湿処理部位に通して当該除湿処理部位に室内空気の水分の吸着させた後、乾燥した室内空気を前記吹出口から室内に戻す第１の空気循環経路と、
前記第１の空気循環経路から分離して前記本体ケーシング内に形成され、第２送風機の送風力により、再生用空気を、前記再生空気吸込口から取り込んで、前記熱回収処理部位に通して当該熱回収処理部位を冷却するとともに再生用空気を予熱して、予熱した再生用空気を前記加熱手段に接触させて高温度にして、高温度にした再生用空気を前記再生処理部位に通して当該再生処理部位の水分を除去した後、除去した水分を含んだ再生用空気を前記再生空気吹出口から室外空間に放出する第２の空気循環経路と
を備えたことを特徴とする換気装置。
【請求項２】
前記第１の空気循環経路に空気清浄フィルターが設けられている
ことを特徴とする請求項１に記載の換気装置。
【請求項３】
前記本体ケーシングの室内空間に対向する面に開口がさらに設けられており、
前記第２の空気循環経路には、前記再生空気吸込口から取り込んだ再生用空気の一部を前記開口を介して室内空間に放出する第１切換手段が設けられている
ことを特徴とする請求項１に記載の換気装置。
【請求項４】
前記本体ケーシングの室外空間に対向する面に換気吹出口がさらに設けられており、
前記回転型除湿素子及び前記加熱手段は、稼動・停止可能とされており、
前記第１の空気循環経路には、前記回転型除湿素子及び前記加熱手段の停止時に動作して、前記吸込口から取り込んだ空気を前記換気吹出口から室外空間に放出する第２切換手段が設けられている
ことを特徴とする請求項１に記載の換気装置。
【請求項５】
前記第１の空気循環経路には、前記回転型除湿素子及び前記加熱手段の停止時に動作して、前記吹出口から取り込んだ室内空気を前記換気吹出口から室外空間に放出する第３切換手段がさらに設けられている
ことを特徴とする請求項４に記載の換気装置。
【請求項６】
前記本体ケーシングの室内空間に対向する面に加湿吹出口がさらに設けられており、
前記第２の空気循環経路には、前記除去した水分を含んだ再生用空気を前記加湿吹出口から室内空間に放出する第４切換手段が設けられている
ことを特徴とする請求項１から５のいずれか１項に記載の換気装置。
【請求項７】
前記第２の空気循環経路には、前記再生空気吸込口から取り込んだ再生用空気の一部を、前記熱回収処理部位を迂回させて、前記加熱手段に直接接触させるバイパス管が設けられている
ことを特徴とする請求項１に記載の換気装置。
【請求項８】
装置起動後の所定の時間は、前記第１の空気循環経路の第２切換手段が作動して、前記吸込口から取り込んだ空気を前記換気吹出口から室外空間に放出する
ことを特徴とする請求項４に記載の換気装置。
【請求項９】
室内空間から吸引した空気の湿度を検知する湿度センサーをさらに備え、室内吸込空気の湿度が設定値より下降した際に、前記第２の空気循環経路の前記第４切換手段を作動させて、前記除去した水分を含んだ再生用空気を前記加湿吹出口から室内空間に放出する
ことを特徴とする請求項６に記載の換気装置。
【発明の詳細な説明】
【０００１】
【発明の属する技術分野】
この発明は、居室等で使用する換気装置、特に除湿、加湿、空気清浄機能等を持たせた換気装置に関するものである。
【０００２】
【従来の技術】
図２０〜図２５は特開平８−３５６９６号公報に示された浴室の衣類等を乾燥する除湿乾燥装置であり、除湿と換気の機能を有するものである。図に示すように浴室における衣類乾燥装置において、浴室１００の壁面１０１に開口させた換気口の換気口部１０２に取付口部２を室外側から室内側に臨ませて取り付けられている。図中、１０３は換気口枠１０２の浴室内側の前面部に取り外し可能に設けた化粧グリルで、下部吹出口１０４には上下左右方向に回動調整可能な風向調整機構１０５が設けられている。ケース本体１内には取付口部２の吸込口３と連通する導入通路５と、連通口６を介して連通する処理室７とに区画形成され、この処理室７に連通する連通口６には開閉ダンパー８（第２切換手段）が設けられており、ダンパー８は換気運転時に前記処理室７を通過させることなく、換気口９からケース本体１外に直接排気する換気機能を有する。
【０００３】
一方、除湿・乾燥運転時には、ダンパー８は換気口９側の導入通路５を遮断し得るようになっている。空気の強制循環機構は送風機１０からなり、吸込口３より吸込ませ、室内の湿潤空気Ａを処理室７に向け送風される。処理室７は導入通路５に連通する一次側７Ａと吹出口４に連通する二次側７Ｂとに区画され、一次側７Ａと二次側７Ｂは、回転型除湿用素子２０で分けられている。この回転型除湿素子は時計廻り方向Ｘに垂直回転するように縦置型に設置されている。
【０００４】
回転型除湿用素子２０の外周面には、図２４R>４に示すように複数の突起２１が周方向に適宜の間隔を存して形成されていて、ドライビングベルト２３とテンションスプリング２５を介して減速モーター２２により回転駆動制御されるようになっている。回転型除湿用素子２０には、除湿処理部位２０Ａと再生処理部位２０Ｂと熱回収処理部位２０Ｃとが回転方向Ｘに沿って順に対応しており、熱回収処理部位２０Ｃに相当する前記回転型除湿用素子２０の処理室７の二次側７Ｂには、処理室７の一次側７Ａに導入された湿潤空気Ａの一部を分流して、再生処理部位２０Ｂ側にＵターンさせて湿潤空気Ａと逆向きの向流状態で再生空気Ｃを送気可能した再生チャンバー３１が配置され、再生チャンバー３１内には加熱手段としての電気ヒーター３２が設けられている。３３は排気チャンバーで、排気管３４が接続され排気空気Ｄを排出する。この場合、換気運転時における湿潤空気Ａの排気、及び除湿、乾燥運転時における排出空気Ｄの排気に伴いその排気量に相当する空気は、浴室１００に設けたドアギャラリやガラリ等から流入する室外の新しい空気によって補われる。図中４１はエアーフィルターである。
【０００５】
上記の除湿乾燥装置によれば、浴室内の湿潤空気Ａは回転型除湿用素子２０の除湿処理部位２０Ａで水分を吸着され除湿乾燥空気となって浴室１００内に吹き出され、衣類を乾燥する再生処理部位２０Ｂは除湿処理部位２０Ａで水分を吸着させられた回転型除湿用素子２０に高温の空気（再生空気）Ｃを通過させて、回転型除湿用素子２０に水分の脱着を行わせることにより再生処理する機能を有する。
【０００６】
【発明が解決しようとする課題】
従来の装置は、以上のように構成されているが、再生用空気は室内空気の１部を使用して室外に排気しているので、室外の空気が入れ替わって入ってくることになる。このため、室外の空気が極めて高湿の時、室内の空気の湿度はあまり下がらず、正味の除湿量としては極めて少なくなるということがある。また、除湿とは逆に加湿機能をもたせたい場合、その構成上できないという問題があった。
【０００７】
この発明は、上記のような問題点を解消するためになされたもので、再生用空気は室外から吸引するようにし、室外が高湿であっても室内は低湿を得ることができるものであり、逆に冬季など室内空気を外気と換気させても室内の湿度低下を抑えることができる換気装置を得ることを目的とする。
【０００８】
【課題を解決するための手段】
この発明における換気装置は、室内空間に対向する面に吸込口及び吹出口が形成され、室外空間に対向する面に再生空気吸込口及び再生空気吹出口が形成された本体ケーシングと、前記本体ケーシング内に回転自在に設けられ、回転にともなって、所定の部位が、順次、除湿処理部位、再生処理部位及び熱回収処理部位となる回転型除湿素子と、前記本体ケーシング内に設けられ、再生用空気を加熱する加熱手段と、１つのモーターの駆動軸に取り付けられ、当該モーターともに前記本体ケーシング内に収納された第１送風機及び第２送風機と、前記本体ケーシング内に形成され、前記第１送風機の送風力により、室内空気を、前記吸込口から取り込んで、前記除湿処理部位に通して当該除湿処理部位に室内空気の水分の吸着させた後、乾燥した室内空気を前記吹出口から室内に戻す第１の空気循環経路と、前記第１の空気循環経路から分離して前記本体ケーシング内に形成され、第２送風機の送風力により、再生用空気を、前記再生空気吸込口から取り込んで、前記熱回収処理部位に通して当該熱回収処理部位を冷却するとともに再生用空気を予熱して、予熱した再生用空気を前記加熱手段に接触させて高温度にして、高温度にした再生用空気を前記再生処理部位に通して当該再生処理部位の水分を除去した後、除去した水分を含んだ再生用空気を前記再生空気吹出口から室外空間に放出する第２の空気循環経路とを備えたものである。
【０００９】
また、前記第１の空気循環経路に空気清浄フィルターが設けられている。
【００１０】
また、本体ケーシングの室内空間に対向する面に開口がさらに設けられており、前記第２の空気循環経路には、前記再生空気吸込口から取り込んだ再生用空気の一部を前記開口を介して室内空間に放出する第１切換手段が設けられている。
【００１１】
また、前記本体ケーシングの室外空間に対向する面に換気吹出口がさらに設けられており、前記回転型除湿素子及び前記加熱手段は、稼動・停止可能とされており、前記第１の空気循環経路には、前記回転型除湿素子及び前記加熱手段の停止時に動作して、前記吸込口から取り込んだ空気を前記換気吹出口から室外空間に放出する第２切換手段が設けられている。
【００１２】
また、前記第１の空気循環経路には、前記回転型除湿素子及び前記加熱手段の停止時に動作して、前記吹出口から取り込んだ室内空気を前記換気吹出口から室外空間に放出する第３切換手段がさらに設けられている。
【００１３】
また、前記本体ケーシングの室内空間に対向する面に加湿吹出口がさらに設けられており、前記第２の空気循環経路には、前記除去した水分を含んだ再生用空気を前記加湿吹出口から室内空間に放出する第４切換手段が設けられている。
【００１４】
また、前記第２の空気循環経路には、前記再生空気吸込口から取り込んだ再生用空気の一部を、前記熱回収処理部位を迂回させて、前記加熱手段に直接接触させるバイパス管が設けられている。
【００１５】
また、装置起動後の所定の時間は、前記第１の空気循環経路の第２切換手段が作動して、前記吸込口から取り込んだ空気を前記換気吹出口から室外空間に放出する。
【００１６】
また、室内空間から吸引した空気の湿度を検知する湿度センサーをさらに備え、室内吸込空気の湿度が設定値より下降した際に、前記第２の空気循環経路の前記第４切換手段を作動させて、前記除去した水分を含んだ再生用空気を前記加湿吹出口から室内空間に放出する。
【００１７】
【発明の実施の形態】
以下、この発明の実施の形態を図について説明する。
実施の形態１．
図１，２において、１０は送風機であり、除湿・換気用送風機（第１送風機）１０ａと再生用送風機１０ｂ（第２送風機）の２つが１つのモーター１０ｃで回転させられている。除湿側空気は吸込口３、空気清浄フィルター４１を通して吸引される。２０は回転型除湿素子で、従来例と同様なものであり、図２５に示す除湿処理部位２０Ａ（第１の要部）、再生処理部位２０Ｂ（第３の要部）、熱回収処理部位２０Ｃ（第２の要部）がある。回転型除湿素子２０はその外周に歯車状の溝２１がついており、駆動モーター２２、減速ギヤー２３で回転型除湿素子２０の回転軸２６を中心に回転させられる。回転型除湿素子２０は取付ベース板１８に加熱チャンバー３１、パージチャンバー３５、排気チャンバー３３等でサンドイッチするように取付ボルト３６で取り付けられており、空気がパージチャンバー３５から加熱チャンバー３１へ通過する回転型除湿素子２０の部分が熱回収処理部位２０Ｃに対応し、空気が加熱チャンバー３１から排気チャンバー３３へ通過する回転型除湿素子２０の部分が再生処理部位２０Ｂに対応し、吸い込まれた室内の空気が一方側（第１の処理部）から他方（第２の処理部）へ通過する回転型除湿素子２０の部分が除湿処理部位２０Ａに対応する。回転型除湿素子２０は回転しているので、上記各処理部位の位置は、回転に対応して変動する。
【００１８】
回転型除湿素子２０とパージチャンバー３５、排気チャンバー３３、取付ベース板１８の間の端面にはゴム等の可動シール（図示しない）があり、再生側空気流通路のモレを極力少なくなるようにしてある。加熱チャンバー３１の内部は加熱手段３２がある。除湿・換気用送風機１０ａの吐出口の上部には除湿、換気切換ダンパー８があり、吹出通路壁６と本体ケーシング１で吹出通路５を構成している。吹出通路５の室内側には吹出口４を設け、室外側には換気吹出口９がある。一方、再生側通路７は、本体ケーシング１の左側で再生通路壁１３によって構成され、ほぼ中央には再生仕切壁１４により２つに分割されており、一方は再生給気通路７ａとなっており、再生用送風機１０ｂの再生空気吸込口１１とパージチャンバー３５を接続しており、他方は再生排気通路７ｂとなって排気チャンバー３３と再生空気吹出口３７を接続している。なお、再生給気通路７ａには再生用空気用フィルター１５が設けられている。これらの本体が壁穴１０１に取り付けられている。
【００１９】
次に作用動作について説明する。図１，２において、まず除湿機能について説明すると、除湿、換気切換ダンパー８はＡの位置にある。除湿換気用送風機１０ａにより、吸込口３から吸い込まれた室内の空気は空気清浄フィルター４１で室内の塵埃や臭気が取り除かれ回転型除湿素子２０の除湿処理部位２０ａを通過する。この時、室内空気の水分は、回転型除湿素子２０に吸着され、除湿換気用送風機１０ａにより吹出通路５を通り、吹出口４から室内に吹き出されるという第１の空気循環経路を形成している。これを繰り返して室内を除湿していく。
【００２０】
もう一方の空気は、再生用送風機１０ｂにより再生空気吸込口１１より室外の空気を吸込み、再生給気通路７ａに吐出され、再生空気用フィルター１５で塵埃を取り除かれ、パージチャンバー３５に入り、回転型除湿素子２０の熱回収処理部位２０ｃで空気は予熱され、加熱チャンバー３５内の加熱手段３２で加熱空気となって、回転型除湿素子２０の再生処理部位２０ｂで水分は脱着され、排気チャンバー３３を通って再生排気通路７ｂを通り、再生空気吹出口３７から室外へ排気されるという第２の空気循環経路を形成している。この場合、室内へは室外からの換気はないから、室外が湿っぽい空気の状態であっても室内は低湿にすることができる。
【００２１】
次に換気する場合には、除湿、換気切換ダンパー８をＢの位置にし、加熱手段３２や回転型除湿素子２０は作動させない。除湿・換気用送風機１０ａにより、室内の空気は吸込口３より空気清浄フィルター４１を通り回転型除湿素子２０を通って除湿・換気用送風機１０ａから吹出通路５を通り、換気吹出口９から排気されて換気することになる。なおこの時、再生用送風機１０ｂも運転されるが、室外の空気を単に循環しているのみである。次に空気清浄機能について説明すると、除湿、換気切換ダンパー８はＡの位置にして、加熱手段３２、回転型除湿素子２０は作動させない。このようにすることにより除湿・換気用送風機１０ａにより室内の空気は吸込口３より空気清浄フィルター４１を通る時塵埃や臭気と取り除かれ、回転型除湿素子２０を通って、吹出通路５、吹出口４から室内へ吹き出され、これを繰り返して室内を清浄空間にもっていくことができる。
【００２２】
実施の形態２．
図３，４，５は再生給気通路７ａの室内側に給気口４２と給気ダンパー４３（第１切換手段）を設けたものである。給気ダンパー４３をＣの位置にすると、給気口４２は閉じて、前記除湿機能の動作と全く同一であるが、給気ダンパー４３をＤの位置に位置すると給気口４２は開くから、再生用送風機１０ｂにより、一方は再生用空気として使用されるが、一方は給気口４２より室外の新鮮空気として室内に給気されるから、除湿と給気による換気が同時に行うことができる。
【００２３】
実施の形態３．
図６，７は、吹出通路壁６に換気穴４４、換気用ダンパー４５（第３切換手段）を設けたものである。前記で述べた換気機能時において、換気用ダンパー４５はＥの位置にすると換気穴４４は閉じて前記の動作と全く同じであるが、換気用ダンパー４５をＦの位置にすると、換気穴４４は開くから除湿、換気送風機１０ａにより室内の空気は吹出口４より吸引され、吹出通路５の前面部を通り、換気穴４４を通り、除湿、換気送風機１０ａから除湿換気切換ダンパー８を通り、吹出通路５の後側の換気吹出口９から室外へ排気し換気されることになる。この時の換気量は、圧力損失抵抗の大きい回転型除湿素子２０は通らないから、換気風量の大きい、すなわち大風量換気を行うことができる。なお、この時除湿空気用フィルター４１を通り回転型除湿素子２０を通ってくる空気もあるが、圧力損失抵抗が大きいのでその量はわずかである。
【００２４】
実施の形態４．
次に回転型除湿素子２０を利用して、加湿機能を付加した場合について説明する。図８，９，１０に示すように再生排気通路７ｂ内に加湿切換ダンパー７４（第４切換手段）を設け、さらに本体１の前面（再生排気通路投影面上）に加湿吹出口７５を設けてやる。次に動作について説明すると、除湿、換気切換ダンパー８をＢの位置にし、加湿切換ダンパーをＨの位置にして、加熱手段３２、及び回転型除湿素子２０を動作させる。除湿・換気用送風機１０ａにより室内の空気は吸込口３より空気清浄フィルター４１で室内の塵埃や臭気が取り除かれて、回転型除湿素子２０の除湿処理部位２０ａを通過する。この時、室内空気の水分は、回転型除湿素子２０に吸着され、乾燥した空気は除湿・換気用送風機１０ａを通り、吹出通路５から換気吹出口９を通って室外へ排気される。すなわち、この時は換気されることになる。
【００２５】
もう一方の再生用空気は再生用送風機１０ｂにより再生空気吸込口１１で室外の空気を吸引する。再生用送風機１０ｂにより吸引された空気は再生給気通路７ａからパージチャンバー３５に入り回転型除湿素子２０の熱回収処理部位２０ｃで空気は予熱され、加熱チャンバー３１内の加熱手段３２で加熱空気となって回転型除湿素子２０の再生処理部位２０Ｂで先に吸着した水分は脱着され、加湿空気となって排気チャンバー３３から再生排気通路７ｂに入るが、加湿切換ダンパー７４によって加湿吹出口７５から吹き出されることになる。この時、除湿用空気の分だけ換気はしていることになるが、室内の水分は回転型除湿素子２０によって回収されることになるから、室内の水分はほとんど減少しないことになり常時加湿をしていることと同じ状態になる。もちろん室内の水分の発生が多くなり室内の湿度が高くなりすぎた場合は、加熱手段３２や回転型除湿素子２０を動作させずに、換気のみさせてやればよいというのはいうまでもない。
【００２６】
実施の形態５．
再生空気の通路は、図１，２で分かるように、回転型除湿素子２０の熱回収部位２０Ｃと再生処理部位２０Ｂを通る。すなわち、圧力損失の大きい回転型除湿素子２０を２回通過することになるから、必要再生風量を確保するため再生用送風機１０ｂは極めて大きい物を使用したり、また、騒音が大きくなるということがある。再生用空気は回転型除湿素子２０の再生特性からある空気量が必要であるが、送風機の大きさ、騒音等のからみから必要空気量が不足する場合の解消として図１１，１２，１３に示すように再生給気通路７ａと加熱チャンバー３１との間に再生バイパス管７６を設けたものである。他は実施の形態１と同様である。
【００２７】
動作について説明すると、再生用送風機１０ｂにより再生用空気を吸引し、再生給気通路７ａに入った再生用空気は、一方は再生バイパス管７６から加熱チャンバー３１へ、もう一方はパージチャンバー３５から回転型除湿素子２０の熱回収部位２０Ｃを通って加熱チャンバー３１へ流れる。ここで２つの空気は合流して、加熱手段３２によって加熱空気となる。当然この時は再生空気量は多くなるので、必要な再生空気量は確保されることになるので、回転型除湿素子２０の特性を満足することになる。
【００２８】
実施の形態６．
次に、本装置を運転するときの運転シーケンスについて述べる。除湿または加湿運転をするときに最初ある一定時間（３〜５分間）は、除湿、換気切換ダンパー８はＢ位置また加湿切換ダンパー７４はＧの位置にして運転し、その後は運転したい除湿、または加湿モード運転になるように制御器８０によりダンパーを制御するものである。この時は除湿側の空気は換気吹出口９から排気され、再生側の空気は再生空気吹出口３７から排気されるから、室内へは除湿、または再生用空気は吹き出されることはない。これを行う理由としては、回転型除湿素子２０が非運転時に室内の臭気物質を吸着してそれが除湿、または加湿運転時に室内へ臭気を放散するのを防ぐためである。前記のように運転することにより、除湿または再生空気は室外に排気され、この時回転型除湿素子２０に吸着していた臭気物質も放散されるので、その後除湿、または加湿空気を室内に吹き出しても臭気の問題はなくなる。
【００２９】
実施の形態７．実施の形態７は室内吸込空気を湿度センサーＳで検知し相対湿度がある値より上昇したら除湿運転を行い、相対湿度がある値より下降したら加湿運転を行い、室内を適切な相対湿度に保つように運転制御を行うようにしたものである。図１８でＳは除湿空気吸込口に設けた湿度センサーで、制御器８０に連結し、それで除湿、換気切換ダンパー８、加湿切換ダンパー７４を所定の位置に可動させ、それぞれ除湿運転、加湿運転になるようにさせるもので、室内の相対湿度を快適な値に制御させるものである。
【００３０】
【発明の効果】
以上のように、この発明の換気装置によれば、室内空間に対向する面に吸込口及び吹出口が形成され、室外空間に対向する面に再生空気吸込口及び再生空気吹出口が形成された本体ケーシングと、前記本体ケーシング内に回転自在に設けられ、回転にともなって、所定の部位が、順次、除湿処理部位、再生処理部位及び熱回収処理部位となる回転型除湿素子と、前記本体ケーシング内に設けられ、再生用空気を加熱する加熱手段と、１つのモーターの駆動軸に取り付けられ、当該モーターともに前記本体ケーシング内に収納された第１送風機及び第２送風機と、前記本体ケーシング内に形成され、前記第１送風機の送風力により、室内空気を、前記吸込口から取り込んで、前記除湿処理部位に通して当該除湿処理部位に室内空気の水分の吸着させた後、乾燥した室内空気を前記吹出口から室内に戻す第１の空気循環経路と、前記第１の空気循環経路から分離して前記本体ケーシング内に形成され、第２送風機の送風力により、再生用空気を、前記再生空気吸込口から取り込んで、前記熱回収処理部位に通して当該熱回収処理部位を冷却するとともに再生用空気を予熱して、予熱した再生用空気を前記加熱手段に接触させて高温度にして、高温度にした再生用空気を前記再生処理部位に通して当該再生処理部位の水分を除去した後、除去した水分を含んだ再生用空気を前記再生空気吹出口から室外空間に放出する第２の空気循環経路とを備えたものであるので、室内は換気のない運転ができるので、室外の空気が高湿であっても室内を低湿に維持する効果がある。
【００３１】
また、前記第１の空気循環経路に空気清浄フィルターが設けられているので、室内の塵埃や臭気をとるとともに、本体を清浄に保つことができる。
【００３２】
また、本体ケーシングの室内空間に対向する面に開口がさらに設けられており、前記第２の空気循環経路には、前記再生空気吸込口から取り込んだ再生用空気の一部を前記開口を介して室内空間に放出する第１切換手段が設けられているので、給気による換気をしながら除湿できる。
【００３３】
また、前記本体ケーシングの室外空間に対向する面に換気吹出口がさらに設けられており、前記回転型除湿素子及び前記加熱手段は、稼動・停止可能とされており、前記第１の空気循環経路には、前記回転型除湿素子及び前記加熱手段の停止時に動作して、前記吸込口から取り込んだ空気を前記換気吹出口から室外空間に放出する第２切換手段が設けられているので、換気時に第２切換手段の動作により、室内空気を室外に吹き出すようにさせることができる。
【００３４】
また、前記第１の空気循環経路には、前記回転型除湿素子及び前記加熱手段の停止時に動作して、前記吹出口から取り込んだ室内空気を前記換気吹出口から室外空間に放出する第３切換手段がさらに設けられているので、換気時に大風量換気を行うことができる。
【００３５】
また、前記本体ケーシングの室内空間に対向する面に加湿吹出口がさらに設けられており、前記第２の空気循環経路には、前記除去した水分を含んだ再生用空気を前記加湿吹出口から室内空間に放出する第４切換手段が設けられているので、第２の空気循環経路は、室外空気を吸込み、室内に吹き出すようにすることが可能となり、例えば暖房時に換気をしても室内の空気中の水分は回収することができ、室内の湿度低下を招かないので、加湿装置を作動させているような効果がある。
【００３６】
また、前記第２の空気循環経路には、前記再生空気吸込口から取り込んだ再生用空気の一部を、前記熱回収処理部位を迂回させて、前記加熱手段に直接接触させるバイパス管が設けられているので、小さな送風機で必要な再生空気を確保でき、しかも騒音が小さくてすむ利点がある。
【００３７】
また、装置起動後の所定の時間は、前記第１の空気循環経路の第２切換手段が作動して、前記吸込口から取り込んだ空気を前記換気吹出口から室外空間に放出するので、装置起動の最初の時間に、除湿側空気も、再生側空気も室外に排気するようにダンパー位置を切り換えることにより、室内へは臭気の放散を防止する効果がある。
【００３８】
また、室内空間から吸引した空気の湿度を検知する湿度センサーをさらに備え、室内吸込空気の湿度が設定値より下降した際に、前記第２の空気循環経路の前記第４切換手段を作動させて、前記除去した水分を含んだ再生用空気を前記加湿吹出口から室内空間に放出するので、湿度が設定値より下降したら加湿運転モードになるようにダンパー位置を切り換えることにより、室内の湿度を最適な設定値にすることができる。
【図面の簡単な説明】
【図１】  この発明の実施の形態１における換気装置を示す断面正面図である。
【図２】  この発明の実施の形態１における換気装置を示す断面側面図である。
【図３】  この発明の実施の形態２における換気装置を示す断面正面図である。
【図４】  この発明の実施の形態２における換気装置を示す断面側面図である。
【図５】  この発明の実施の形態２における換気装置の断面の一部を示す平面図である。
【図６】  この発明の実施の形態３における換気装置を示す断面正面図である。
【図７】  この発明の実施の形態３における換気装置を示す断面側面図である。
【図８】  この発明の実施の形態４における換気装置を示す断面正面図である。
【図９】  この発明の実施の形態４における換気装置を示す断面側面図である。
【図１０】  この発明の実施の形態４における換気装置の断面の一部を示す平面図である。
【図１１】  この発明の実施の形態５における換気装置を示す断面正面図である。
【図１２】  この発明の実施の形態５における換気装置を示す断面側面図である。
【図１３】  この発明の実施の形態５による換気装置において再生バイパス管取付部を示す説明図である。
【図１４】  この発明の実施の形態６における換気装置を示す断面正面図である。
【図１５】  この発明の実施の形態６における換気装置を示す断面側面図である。
【図１６】  この発明の実施の形態６における換気装置の断面の一部を示す平面図である。
【図１７】  この発明の実施の形態７における換気装置を示す断面正面図である。
【図１８】  この発明の実施の形態７における換気装置を示す断面側面図である。
【図１９】  この発明の実施の形態７における換気装置の断面の一部を示す平面図である。
【図２０】  従来の除湿乾燥装置を示す斜視図である。
【図２１】  従来の除湿乾燥装置の取り付け状態を示す説明図である。
【図２２】  従来の除湿乾燥装置の取り付け状態を拡大して示す横断面図である。
【図２３】  従来の除湿乾燥装置の取り付け状態を拡大して示す縦断面図である。
【図２４】  従来の除湿乾燥装置の回転型除湿素子を示す説明図である。
【図２５】  従来の除湿乾燥装置の動作を原理的に示す説明図である。
【符号の説明】
１  本体ケーシング、３  吸込口、４  吹出口、５  吹出通路、６  吹出通路壁、７  再生側通路、７ａ  再生給気通路、７ｂ  再生排気通路、８  除湿、換気切換ダンパー、９  換気吹出口、１０  送風機、１０ａ  除湿・換気用送風機、１０ｂ  再生用送風機、１０ｃ  送風機用モーター、１１  再生空気吸込口、１３  再生通路壁、１４  再生仕切壁、１５  再生空気用フィルター、１８  取付ベース板、２０  回転型除湿素子、２０ａ  除湿処理部位、２０ｂ  再生処理部位、２０ｃ  熱回収処理部位、２１  歯車状の溝、２２  駆動モーター、２３  減速ギヤー、２６  回転軸、３１  加熱チャンバー、３２  加熱手段、３３  排気チャンバー、３５  パージチャンバー、３６  取付ボルト、３７  再生空気吹出口、４１  空気清浄フィルター、１０１  壁穴。
【図１】
0003734592.tif 000002
【図２】
0003734592.tif 000003
【図３】
0003734592.tif 000004
【図４】
0003734592.tif 000005
【図５】
0003734592.tif 000006
【図６】
0003734592.tif 000007
【図７】
0003734592.tif 000008
【図８】
0003734592.tif 000009
【図９】
0003734592.tif 000010
【図１０】
0003734592.tif 000011
【図１１】
0003734592.tif 000012
【図１２】
0003734592.tif 000013
【図１３】
0003734592.tif 000014
【図１４】
0003734592.tif 000015
【図１５】
0003734592.tif 000016
【図１６】
0003734592.tif 000017
【図１７】
0003734592.tif 000018
【図１８】
0003734592.tif 000019
【図１９】
0003734592.tif 000020
【図２０】
0003734592.tif 000021
【図２１】
0003734592.tif 000022
【図２２】
0003734592.tif 000023
【図２３】
0003734592.tif 000024
【図２４】
0003734592.tif 000025
【図２５】
0003734592.tif 000026